(57)【要約】【課題】外部装置で必要な過去の生体情報データを生体情報モニタの入力装置から提供すること。【解決手段】生体情報モニタの入力装置は別体の表示装置とともに生体情報モニタを構成する入力装置であって、入力コネクタ部と、通信コネクタ部と、入力装置内時計部と、記憶部と、計測処理部とを有する。計測処理部は入力コネクタ部に接続された生体情報検出部を介して患者から生体情報データを計測するとともにその計測時の日付時刻データを入力装置内時計部から取得して、計測された生体情報データと取得された日付時刻データとを互いに関連づけて計測結果データとして記憶部に記憶させる。また、計測処理部は記憶部に記憶されている計測結果データを通信コネクタ部を介して外部装置宛てに出力する場合、記憶部から読み出した後かつ外部装置宛てに出力する前の計測結果データに外部装置と入力装置との間の時差を反映させる時差反映処理を実行する。【選択図】図５
2014161683.tif 000002
【特許請求の範囲】
【請求項１】
別体の表示装置とともに生体情報モニタを構成する入力装置であって、
患者に装着された生体情報検出部を接続させるための入力コネクタ部と、
外部装置と前記入力装置とを通信可能に接続するための通信コネクタ部と、
時刻を計時する入力装置内時計部と、
データを記憶する記憶部と、
前記入力コネクタ部に接続された前記生体情報検出部を介して前記患者から生体情報データを計測するとともにその計測時の日付時刻データを前記入力装置内時計部から取得して、計測された生体情報データと取得された日付時刻データとを互いに関連づけて計測結果データとして前記記憶部に記憶させる計測処理部と、
を有し、
前記計測処理部は、前記記憶部に記憶されている計測結果データを前記通信コネクタ部を介して前記外部装置宛てに出力する場合、前記記憶部から読み出した後かつ前記外部装置宛てに出力する前の計測結果データに前記外部装置と前記入力装置との間の時差を反映させる時差反映処理を実行する、
生体情報モニタの入力装置。
【請求項２】
前記計測処理部は、前記外部装置において計時されている時刻を前記外部装置から取得し、前記外部装置から取得された時刻を、前記入力装置内時計部により計時されている時刻と比較することにより、前記外部装置と前記入力装置との間の時差を判定する、
請求項１に記載の生体情報モニタの入力装置。
【請求項３】
前記計測処理部は、前記記憶部から読み出した後かつ前記外部装置宛てに出力する前の計測結果データに、判定された時差を示す時差データを付加する、
請求項２に記載の生体情報モニタの入力装置。
【請求項４】
前記計測処理部は、前記記憶部から読み出した後かつ前記外部装置宛てに出力する前の計測結果データに含まれた日付時刻データを、判定された時差に基づいて補正する、
請求項２に記載の生体情報モニタの入力装置。
【請求項５】
前記計測処理部は、前記記憶部に記憶されている計測結果データのうち前記外部装置から指定された期間の計測結果データを出力する場合、判定された時差に基づいて前記指定された期間を補正し、補正後の期間に該当する日付時刻データを含む計測結果データを前記指定された期間の計測結果データとして読み出す、
請求項２〜４の何れか１項に記載の生体情報モニタの入力装置。
【請求項６】
前記外部装置は、通信ネットワークを介して接続されたデータ処理システムである、
請求項１〜５の何れか１項に記載の生体情報モニタの入力装置。
【請求項７】
前記外部装置は、前記別体の表示装置である、
請求項１〜５の何れか１項に記載の生体情報モニタの入力装置。
【発明の詳細な説明】
【技術分野】
【０００１】
本発明は、生体情報モニタの入力装置に関する。
【背景技術】
【０００２】
生体情報モニタは、患者から計測された心拍数や血圧、呼吸数などの生体情報を数値または波形の形式で表示部に一括表示させることができる医療機器である（例えば、特許文献１参照）。このような生体情報モニタは主として、患者に装着された生体情報検出部（心電電極および各種生体情報計測用のセンサなど）が接続されて患者から生体情報データを計測する入力装置と、取得された生体情報データを表示する表示装置と、を含む。従来の生体情報モニタとしては、これらの装置が別体で、使用時に互いに接続されるタイプ、およびこれらの装置が一体化されたタイプが知られている。
【先行技術文献】
【特許文献】
【０００３】
【特許文献１】特開２００４−１９４９９６号公報
【発明の概要】
【発明が解決しようとする課題】
【０００４】
ところで、近年、医療施設内では、電子カルテシステムなどのデータ処理システムの普及により、患者から長時間にわたって計測された膨大な生体情報データを保管することが可能となっている。そのため、例えば電子カルテシステムが導入されている医療施設では、患者から計測された生体情報データを生体情報モニタからリアルタイムで電子カルテシステムへ伝送することで、電子カルテシステムに生体情報データを保管させることがある。この場合、患者から生体情報データの計測が行われている間、そのすべての生体情報データをシームレスに保管することができる。ただし、生体情報モニタと電子カルテシステムとが通信可能な状況でない場合は、リアルタイムで生体情報データを生体情報モニタから電子カルテシステムに伝送することができない。よって、その後、電子カルテシステムにおいて部分的に欠落した期間の生体情報データの補完が必要となる場合がある。
【０００５】
しかしながら、表示装置と別体となっている従来の入力装置は、患者の生体情報データをその内部で保持することができない。例えば、患者に装着された生体情報検出部が接続されている入力装置を表示装置から分離させて、この入力装置を患者とともに搬送する場合、入力装置は、搬送期間中の患者の生体情報データを、たとえ計測できたとしても保持することはできない。したがって、表示装置と別体となっている従来の入力装置は、外部装置に対して、外部装置にとって必要な過去の生体情報データを提供することができないという問題があった。
【０００６】
本発明の目的は、外部装置で必要な過去の生体情報データを提供することができる生体情報モニタの入力装置を提供することである。
【課題を解決するための手段】
【０００７】
本発明の生体情報モニタの入力装置は、
別体の表示装置とともに生体情報モニタを構成する入力装置であって、
患者に装着された生体情報検出部を接続させるための入力コネクタ部と、
外部装置と前記入力装置とを通信可能に接続するための通信コネクタ部と、
時刻を計時する入力装置内時計部と、
データを記憶する記憶部と、
前記入力コネクタ部に接続された前記生体情報検出部を介して前記患者から生体情報データを計測するとともにその計測時の日付時刻データを前記入力装置内時計部から取得して、計測された生体情報データと取得された日付時刻データとを互いに関連づけて計測結果データとして前記記憶部に記憶させる計測処理部と、
を有し、
前記計測処理部は、前記記憶部に記憶されている計測結果データを前記通信コネクタ部を介して前記外部装置宛てに出力する場合、前記記憶部から読み出した後かつ前記外部装置宛てに出力する前の計測結果データに前記外部装置と前記入力装置との間の時差を反映させる時差反映処理を実行する。
【発明の効果】
【０００８】
本発明によれば、外部装置で必要な過去の生体情報データを生体情報モニタの入力装置から提供することができる。
【図面の簡単な説明】
【０００９】
【図１】本発明の一実施の形態に係る生体情報モニタの外観を示す正面斜視図および背面斜視図
【図２】本発明の一実施の形態に係る生体情報モニタの各コンポーネントを分離した状態を示す図
【図３】本発明の一実施の形態に係るキャリアの底面を示す図
【図４】本発明の一実施の形態に係るベースユニットの外観を示す背面斜視図
【図５】本発明の一実施の形態に係る生体情報モニタの構成を示すブロック図
【図６】本発明の一実施の形態に係る計測処理部の計測結果データ処理動作を説明するためのフローチャート
【図７】本発明の一実施の形態に係る計測処理部の計測結果データの読み出し動作を説明するためのフローチャート
【図８】本発明の一実施の形態に係る計測処理部の時差反映処理動作を説明するためのフローチャート
【図９】本発明の一実施の形態に係る計測処理部の時差反映処理動作の変形例を説明するためのフローチャート
【発明を実施するための形態】
【００１０】
以下、本発明の実施の形態について、図面を用いて詳細に説明する。
【００１１】
図１は本発明の一実施の形態に係る生体情報モニタの外観を示す正面斜視図（図１（ａ））および背面斜視図（図１（ｂ））である。また、図２は本実施の形態に係る生体情報モニタの各コンポーネントを分離した状態を示す図であり、図３は本実施の形態に係る生体情報モニタのキャリアの底面を示す図である。
【００１２】
本実施の形態の生体情報モニタ１は、キャリア１００、入力装置２００、表示装置３００およびベースユニット４００といった４つのコンポーネントから構成されている。
【００１３】
入力装置２００は、患者に装着された生体情報検出部を接続させるための入力コネクタ部２０１を有し、この入力コネクタ部２０１を介して患者から生体情報データを取得するための装置である。また、表示装置３００は、入力装置２００により取得された生体情報データを表示するための表示部３０１を有する装置である。また、ベースユニット４００は、ベッドサイドなどの所定の場所に設置され、生体情報モニタ１のモニタ本体（つまりキャリア１００と入力装置２００と表示装置３００との組合せ）を載置するための載置台として用いられる装置である。
【００１４】
キャリア１００は、生体情報モニタ１あるいはその一部のコンポーネントを持ち運ぶために各コンポーネントと連結可能に構成されたキャリア本体１００ａを有する。また、キャリア本体１００ａには、連結されたコンポーネントとともにキャリア本体１００ａを持ち運ぶ際に把持可能に構成された把手部１０１が、設けられている。図１では、入力装置２００、表示装置３００およびベースユニット４００はキャリア１００との連結によって相互に一体化されているが、図２に示すように、各コンポーネントをキャリア１００から分離させることもできる。
【００１５】
そのため、キャリア１００のキャリア本体１００ａは、入力装置２００を装着可能な第１装着部１０２と、表示装置３００を装着可能な第２装着部１０３と、を有し、キャリア本体１００ａの底部１０４は、ベースユニット４００上に載置可能に構成されている。
【００１６】
第１装着部１０２は、キャリア本体１００ａの側面開口部から入力装置２００を挿入することで入力装置２００をキャリア本体１００ａに装着できるように構成されている。挿入された入力装置２００がキャリア本体１００ａの挿入方向最深部に突き当たると、入力装置２００のコネクタ部２０２（図５参照）がキャリア１００の第１コネクタ部１０５（図５参照）に接続された状態で、入力装置２００がキャリア１００に保持される。入力装置２００は、挿入時と逆の方向に引き抜くことで、キャリア本体１００ａから分離させることができる。
【００１７】
第２装着部１０３は、表示装置３００の背面に設けられたコネクタ部３０２（図５参照）を上方から差し込むことで表示装置３００をキャリア本体１００ａに装着できるように構成されている。コネクタ部３０２が第２装着部１０３に差し込まれて係止されると、表示装置３００がキャリア本体１００ａに保持される。表示装置３００は、差し込むときと逆に上方に引き抜くことで、キャリア本体１００ａから分離させることができる。
【００１８】
キャリア本体１００ａの底部１０４には、係合突起部１０６および第３コネクタ部１０７が設けられている。係合突起部１０６をベースユニット４００の上面４０１（図４参照）に設けられた係合凹部４０２（図４参照）の位置に合わせてキャリア本体１００ａの底部１０４をベースユニット４００の上面４０１に上方から被せると、係合突起部１０６が係合凹部４０２と係合して安定的にキャリア本体１００ａをベースユニット４００上に載置させることができる。また、係合突起部１０６が係合凹部４０２と係合するときには、ベースユニット４００の上面４０１に設けられたコネクタカバー４０３（図４参照）が開いて、その内部に配置されたベースユニット４００のコネクタ部４０４（図５参照）にキャリア本体１００ａの第３コネクタ部１０７が接続される。キャリア本体１００ａは、ベースユニット４００のロック解除ボタン４０５を押しながらキャリア本体１００ａの把手部１０１を掴んでキャリア本体１００ａを上方に持ち上げることで、キャリア本体１００ａをベースユニット４００から分離させることができる。
【００１９】
図４は、ベースユニット４００の外観を示す背面斜視図である（図４（ａ）、図４（ｂ））。ベースユニット４００は、その背面に、取り外し可能なカバー４０６を有する。このカバー４０６は、ネットワークインタフェース部４０７などを覆うための部材である。このカバー４０６を取り外した後に、ネットワークインタフェース部４０７に、外部装置（本実施の形態では、データ処理システム８００）との通信を可能にする接続手段（例えばＬＡＮケーブルなど）を接続することで、生体情報モニタ１のコンポーネントを通信ネットワーク７００（図５参照）経由で外部のデータ処理システム８００と通信させることが可能となる。また、ベースユニット４００は、その背面に、商用電源６００（図５参照）に接続するための電源コードコネクタ部４０８を有する。電源コードを電源コードコネクタ部４０８に接続することで、商用電源６００から電源供給を受けることが可能となる。
【００２０】
図５は、生体情報モニタ１の構成を示すブロック図であり、各コンポーネントの機能的構成を概略的に示したものである。前述のとおり生体情報モニタ１は、キャリア１００、入力装置２００、表示装置３００、およびベースユニット４００を有する。なお、図５においてブロック間を接続する実線は各種生体情報データや操作信号などの伝送経路を示し、点線は電源供給経路を示す。
【００２１】
入力装置２００は、入力コネクタ部２０１、コネクタ部２０２、計測処理部２０３、記憶部２０４、電源制御部２０５および時計部２０６を有する。
【００２２】
入力コネクタ部２０１は、患者に装着された生体情報検出部を入力装置２００に接続させるためのコネクタである。本実施の形態では、生体情報検出部は、心電図を検出するための心電電極５０１、血圧を検出するための血圧測定用カフ５０２、体温を検出するための体温センサ５０３、ＳｐＯ２を検出するためのＳｐＯ２センサ５０４、および心拍出量を検出するための心拍出量センサ５０５を含むが、生体情報検出部はこれらに限られない。よって、本実施の形態では、入力コネクタ部２０１は、心電電極５０１を接続させるための第１入力コネクタ部２０１ａ、血圧測定用カフ５０２を接続させるための第２入力コネクタ部２０１ｂ、体温センサ５０３を接続させるための第３入力コネクタ部２０１ｃ、ＳｐＯ２センサ５０４を接続させるための第４入力コネクタ部２０１ｄ、および心拍出量センサ５０５を接続させるための第５入力コネクタ部２０１ｅから構成されている。入力コネクタ部２０１は、接続された生体情報検出部と計測処理部２０３との間のインタフェースとして機能する。
【００２３】
本発明の入力装置内時計部を構成する時計部２０６は、時刻を計時し、その時刻を示す日付時刻データを生成する。なお、本実施の形態では、日付時刻データは年月日時分秒のデータを含む概念とする。
【００２４】
計測処理部２０３は、記憶部２０４に記憶されたプログラムを実行することで、所定の計測処理を実行する。この計測処理によって、計測処理部２０３は、入力コネクタ部２０１に接続された生体情報検出部を用いて患者の生体情報データを計測する。なお、上記生体情報検出部を用いた各種生体情報の計測方法については従来周知のものを適用可能であるため、ここではその詳細な説明を省略する。また、計測処理部２０３は、生体情報データの計測時に時計部２０６からその時点の日付時刻データを取得して、計測した生体情報データと取得した日付時刻データとを互いに関連づけた計測結果データを生成し、その計測結果データを記憶部２０４に記憶させる。また、計測処理部２０３は、過去に生成されて記憶部２０４に記憶されている計測結果データを読み出して、そのデータを外部に出力するための処理（以下「計測結果データ処理」という）を行うこともできる。計測結果データ処理の具体的動作については後述する。
【００２５】
記憶部２０４は、計測処理部２０３により実行されるプログラムや計測処理部２０３により生成された計測結果データを記憶する。
【００２６】
本発明の通信コネクタ部を構成するコネクタ部２０２は、入力装置２００がキャリア１００に装着されたときにキャリア１００の第１コネクタ部１０５と接続し、これによりキャリア１００と入力装置２００とを電気的に接続させるコネクタである。キャリア１００と入力装置２００との間における電源供給および生体情報データ伝送の経路は、キャリア１００と入力装置２００とが電気的に接続された状態のときに接続され、キャリア１００と入力装置２００とが電気的に切断された状態のときに遮断される。
【００２７】
電源制御部２０５は、入力装置２００の外部からコネクタ部２０２を介して電源供給を受け、これにより入力装置２００の各部を駆動する。
【００２８】
このように、本実施の形態では、計測処理部２０３により計測された生体情報データを含む計測結果データを入力装置２００内の記憶部２０４に記憶させておくことができる。したがって、入力装置２００は、表示装置３００や外部装置と接続されているか否かに関係なく、患者から計測した生体情報データを内部に保持しておくことができる。しかも、入力装置２００は、時計機能も内蔵しているため、計測した生体情報データをその計測時点の日付時刻データと関連付けて内部に保持しておくことができる。
【００２９】
表示装置３００は、表示部３０１、コネクタ部３０２、時計部３０４、表示処理部３０５、記憶部３０６、および電源制御部３０７を有する。
【００３０】
コネクタ部３０２は、表示装置３００がキャリア１００に装着されたときにキャリア１００の第２コネクタ部１０８と接続し、これによりキャリア１００と表示装置３００とを電気的に接続させるコネクタである。キャリア１００と表示装置３００との間の電源供給経路および伝送経路は、キャリア１００と表示装置３００とが電気的に接続された状態のときに接続され、キャリア１００と表示装置３００とが電気的に切断された状態のときに遮断される。
【００３１】
表示処理部３０５は、記憶部３０６に記憶されたプログラムを実行することで、所定の表示処理を実行する。この表示処理によって、表示処理部３０５は、生体情報データを計測値または波形の形式で表示部３０１に表示させる。表示処理部３０５は、外部からコネクタ部３０２を介して受信された生体情報データに対して表示処理を実行する場合は、その生体情報データをリアルタイムで表示部３０１に表示させることができる。ただし、表示処理部３０５は、記憶部３０６に記憶されている生体情報データを読み出し、これに対して表示処理を行うことで、過去の生体情報データをトレンドグラフなどの形式で表示させることもできる。
【００３２】
表示部３０１は、例えばタッチパネルであり、生体情報データを表示する表示機能を有するだけでなく、操作者による入力操作を受け付ける入力部としての機能も有する。表示部３０１は操作者による入力操作を受け付けたときに、その操作の内容に従って表示装置３００内の各部あるいは生体情報モニタ１内の各部を動作させるための操作信号を生成する。生成された操作信号は、表示装置３００内あるいは生体情報モニタ１内の伝送経路を介して適宜伝送される。
【００３３】
時計部３０４は、時刻を計時し、その時刻を示す日付時刻データを生成する。この日付時刻データは、例えば患者モニタリング動作中に、生体情報データとともに表示部３０１に表示される。
【００３４】
記憶部３０６は、表示処理により表示部３０１に表示される生体情報データを記憶する。
【００３５】
電源制御部３０７は、表示装置３００の外部からコネクタ部３０２を介して電源供給を受け、これにより表示装置３００の各部を駆動させる。
【００３６】
ベースユニット４００は、コネクタ部４０４、ネットワークインタフェース部４０７、主電源部４０９、予備電源部４１０、および電源制御部４１１を有する。
【００３７】
コネクタ部４０４は、キャリア１００がベースユニット４００上に載置されてキャリア１００の第３コネクタ部１０７がコネクタ部４０４に接続されたときに、キャリア１００とベースユニット４００とを電気的に接続させるコネクタである。キャリア１００とベースユニット４００との間の電源供給経路および伝送経路は、キャリア１００とベースユニット４００とが電気的に接続された状態のときに接続され、キャリア１００とベースユニット４００とが電気的に切断された状態のときに遮断される。
【００３８】
電源制御部４１１は、コネクタ部４０４を介してキャリア１００内に電源供給を行う。電源制御部４１１は、通常時は主電源部４０９からの供給電源をキャリア１００内に供給するが、非常時（例えば停電時）には代替的に予備電源部４１０からの供給電源をキャリア１００内に供給してもよい。
【００３９】
主電源部４０９は、電源コードコネクタ部４０８（図４参照）に接続された電源コードを介して外部の商用電源６００から電源供給を受け、交流−直流の変換などを行う回路を備えた電源部である。
【００４０】
予備電源部４１０は充電部４１２とバッテリ収容部４１３とを有する。予備電源部４１０は、主電源部４０９を駆動電源として、バッテリ収容部４１３に収容されたバッテリの充電を行う。バッテリ収容部４１３は、後述するキャリア１００内のバッテリ収容部１０９に収容可能なバッテリを収容することができるように構成されている。したがって、予備電源部４１０は、キャリア１００内で使用される予備のバッテリをベースユニット４００において充電することができる。なお、バッテリ収容部４１３に収容されている充電後のバッテリからの電源を非常時用の供給電源として使用可能である。
【００４１】
ネットワークインタフェース部４０７は、ベースユニット４００を通信ネットワーク７００に接続するインタフェースである。ベースユニット４００を通信ネットワーク７００に接続させることで、生体情報モニタ１の入力装置２００および表示装置３００と外部のデータ処理システム８００との間のデータ通信が可能となる。
【００４２】
キャリア１００は、第１コネクタ部１０５、第２コネクタ部１０８、第３コネクタ部１０７、伝送処理部１１０、電源制御部１１１、および予備電源部１１２を有する。
【００４３】
第１コネクタ部１０５、第２コネクタ部１０８、第３コネクタ部１０７のそれぞれは、前述のとおり、キャリア１００と各コンポーネントとを電気的に接続させる。
【００４４】
伝送処理部１１０は、第１コネクタ部１０５、第２コネクタ部１０８、および第３コネクタ部１０７の間の伝送経路を中継するよう構成されており、入力装置２００、表示装置３００およびベースユニット４００の間のデータ伝送を行う。
【００４５】
予備電源部１１２は、充電部１１３とバッテリ収容部１０９とを有する。予備電源部１１２は、主電源部４０９を駆動電源として、バッテリ収容部１０９に収容されたバッテリの充電を行う。なお、バッテリ収容部１０９に収容されている充電後のバッテリからの電源を非常時用の供給電源として使用可能である。
【００４６】
電源制御部１１１は、入力装置２００および表示装置３００の駆動電源の選択を行う制御部である。すなわち、電源制御部１１１は、キャリア１００内の予備電源部１１２（より具体的にはその内部に収容されたバッテリ）からの供給電源、およびベースユニット４００（主としてベースユニット４００内の主電源部４０９）からの供給電源のいずれか一方を、駆動電源として選択する。例えば、電源制御部１１１は、ベースユニット４００からの供給電源が受けられる状態のときにはベースユニット４００からの供給電源を選択し、そうでない状態のときにはキャリア１００内の予備電源部１１２からの供給電源を選択する。
【００４７】
データ処理システム８００は、医療施設内で用いられるデータ処理システムであり、例えば電子カルテシステムや、オペ室または一般病棟内のデータ処理システムなどである。データ処理システム８００は、表示部や記憶部（いずれも図示せず）を有しており、その外部（例えば生体情報モニタ１）から取得した生体情報データを表示したり保管したりすることができる。
【００４８】
データ処理システム８００は、時計部８０１を有する。時計部８０１は、時刻を計時し、その時刻を示す日付時刻データを生成する。この日付時刻データは、データ処理システム８００での生体情報データの保管や表示に利用される。
【００４９】
次いで、本実施の形態の生体情報モニタ１の動作について説明する。ここでは、外部装置から生体情報モニタ１の入力装置２００に対して特定の患者についての生体情報データが要求された場合について説明する。なお、入力装置２００においては、その外部装置からの要求の前に、その患者から計測されていた生体情報データが計測結果データとして予め記憶部２０４に記憶されているものとする。また、外部装置は、通信ネットワーク７００を介して生体情報モニタ１に接続されるデータ処理システム８００である。ただし、生体情報モニタ１の表示装置３００は、入力装置２００にとっては外部の装置であるので、キャリア１００を介して入力装置２００に接続される表示装置３００を外部装置としてもよい。
【００５０】
入力装置２００は、特定の患者についての生体情報データが外部装置から要求されると、図６のフローチャートに示す計測結果データ処理を計測処理部２０３において実行する。
【００５１】
まず、計測処理部２０３は、外部装置において生成された現在時刻（以下「外部現在時刻」という）の日付時刻データを外部装置から取得するとともに、時計部２０６において生成された現在時刻（以下「内部現在時刻」という）の日付時刻データを時計部２０６から取得する（ステップＳ１０）。そして、計測処理部２０３は、外部現在時刻と内部現在時刻とを比較することによって、外部装置と入力装置２００との時差を判定する（ステップＳ２０）。そして、計測処理部２０３は、ステップＳ２０で判定した時差を考慮して、計測結果データを記憶部２０４から読み出す（ステップＳ３０）。そして、計測処理部２０３は、記憶部２０４から読み出した計測結果データに対して、時差反映処理を実行する（ステップＳ４０）。そして、計測処理部２０３は、時差反映処理が行われた計測結果データを外部装置宛に出力する。
【００５２】
以下、上記ステップＳ３０での計測結果データの読み出しについて、図７を用いてより具体的に説明する。
【００５３】
ステップＳ３１では、計測処理部２０３は、外部装置からどの期間の生体情報データが要求されたかを判断する。記憶部２０４に予め記憶されている計測結果データの期間の全期間が指定されている場合、処理はステップ３２に進み、記憶部２０４に予め記憶されている計測結果データの期間のうち一部期間が指定されている場合、処理はステップＳ３３に進む。なお、指定がない場合も、全期間が指定されているとみなして、処理はステップＳ３２に進む。ステップＳ３２では、計測処理部２０３は全期間の計測結果データを読み出し、ステップＳ３３では、計測処理部２０３は外部装置と入力装置２００との間に時差があるか否かを、上記ステップＳ２０での時差判定結果を参照して判断する。
【００５４】
時差がない場合には（ステップＳ３３：ＮＯ）、計測処理部２０３は、外部装置から指定された期間に該当する日付時刻データを含む計測結果データを読み出す（ステップＳ３４）。一方、時差がある場合には（ステップＳ３３：ＹＥＳ）、計測処理部２０３は、外部装置から指定された期間を時差に基づいて補正する（ステップＳ３５）。
【００５５】
そして、ステップＳ３６では、計測処理部２０３は記憶部２０４に記憶されている計測結果データのうち、上記補正後の期間に該当する日付時刻データを含む計測結果データを読み出す。
【００５６】
このように、本実施の形態では、計測処理部２０３は記憶部２０４に記憶されている計測結果データを読み出すときに、外部装置と入力装置２００との間の時差を考慮して、読み出し対象の期間を補正する。
【００５７】
例えば、内部現在時刻が外部現在時刻よりも１０分進んでいる状況で、外部装置が「１２：００〜１２：１０」の生体情報データを要求したと仮定する。この場合、計測処理部２０３は、外部装置から指定された期間（１２：００〜１２：１０）を１０分進めて（１２：１０〜１２：２０）に補正し、補正後の期間（１２：１０〜１２：２０）に該当する日付時刻データを含む計測結果データを読み出す。なお、内部現在時刻が外部現在時刻よりも１０分遅れていたとすると、計測処理部２０３は、外部装置から指定された期間を１０分戻し、補正後の期間（１１：５０〜１２：００）に該当する日付時刻データを含む計測結果データを読み出す。これにより、外部装置と入力装置２００との間に時差がある場合であっても、計測処理部２０３は外部装置の要求する期間に該当する生体情報データを読み出すことができる。そのため、外部装置が真に要求している生体情報データを正確に読み出すことができる。
【００５８】
続いて、上記ステップＳ４０での時差反映処理について、図８に示すフローチャートを用いて説明する。
【００５９】
ステップＳ４１では、計測処理部２０３は外部装置と入力装置２００との間に時差があるか否かを、上記ステップＳ２０での時差判定結果を参照して判断する。時差がない場合には（ステップＳ４１：ＮＯ）、計測処理部２０３は時差反映処理を終了する。一方、時差がある場合には（ステップＳ４１：ＹＥＳ）、計測処理部２０３は、時差を示す時差データを生成して、記憶部２０４から読み出した計測結果データに、その時差データを付加する（ステップＳ４２）。時差データが付加された計測結果データは、その後に実行される上記ステップＳ５０において外部装置宛に出力されることとなる。すなわち、入力装置２００は、外部装置から要求された過去の生体情報データを外部装置に対して提供することができる。
【００６０】
このように、本実施の形態では、時差がある場合、時差データによって外部装置に時差を伝達することができる。例えば、内部現在時刻が外部現在時刻よりも１０分進んでいる状況では、記憶部２０４から読み出した計測結果データに含まれている日付時刻データが１０分進んでいることを示す時差データが計測結果データとともに入力装置２００から外部装置に出力される。なお、内部現在時刻が外部現在時刻よりも１０分遅れている状況では、記憶部２０４から読み出した計測結果データに含まれている日付時刻データが１０分遅れていることを示す時差データが計測結果データとともに入力装置２００から外部装置に出力される。したがって、外部装置では、入力装置２００において読み出された計測結果データに含まれる日付時刻データの期間が、予め指定した期間と一致していなくても、伝達された時差に基づいて適宜計測結果データを補正することができる。これにより、外部装置は、必要な過去の生体情報データを確実に取得することができる。
【００６１】
上記の時差反映処理では、時差データを付加することで計測結果データに時差を反映させているが、時差反映処理は上記のものに限定されない。例えば、図９のフローチャートに示す時差反映処理を行ってもよい。
【００６２】
図９に示す時差反映処理では、図８に示す時差反映処理におけるステップＳ４２の代わりに、以下説明するステップＳ４３を実行する。ステップＳ４３では、計測処理部２０３は記憶部２０４から読み出した計測結果データに含まれる日付時刻データを時差に基づいて補正する。例えば、内部現在時刻が外部現在時刻よりも１０分進んでいる状況では、記憶部２０４から読み出した計測結果データに含まれている日付時刻データを１０分戻す補正が行われ、補正後の日付時刻データを含む計測結果データが入力装置２００から外部装置に出力される。なお、内部現在時刻が外部現在時刻よりも１０分遅れている状況では、記憶部２０４から読み出した計測結果データに含まれている日付時刻データを１０分進める補正が行われ、補正後の日付時刻データを含む計測結果データが入力装置２００から外部装置に出力される。したがって、外部装置と入力装置２００との間の時差の有無に関係なく、外部装置では、入力装置２００から出力された計測結果データに対して、時差を補正する処理を行わなくてよい。つまり、外部装置の追加処理が必要でないという点で、図９に示す時差反映処理は、図８に示す時差反映処理に比べて有利である。また、この時差反映処理で補正される日付時刻データは、記憶部２０４から読み出した計測結果データに含まれている日付時刻データであるため、記憶部２０４に保持されている計測結果データそのものに含まれている日付時刻データが変更されることがない点でも有利である。
【００６３】
なお、入力装置２００に接続される表示装置を、表示装置３００から別の表示装置に取り替える場合がありうる。このとき、入力装置２００に対して取り替え後の表示装置から特定の患者についての生体情報データが要求された場合も、計測処理部２０３は計測結果データ処理を実行することができる。これにより、たとえ取り替え前の表示装置３００と取り替え後の表示装置との間に時差があったとしても、入力装置２００は、取り替え後の表示装置が真に要求している生体情報データを正確に読み出すことができ、取り替え後の表示装置に必要な過去の生体情報データを提供することができる。
【００６４】
以上、本発明の実施の形態について説明したが、以上の説明は本発明の好適な実施の形態の例証であり、本発明の範囲はこれに限定されるものではない。よって、上記実施の形態は、種々変更して実施可能である。
【符号の説明】
【００６５】
１  生体情報モニタ
１００  キャリア
１００ａ  キャリア本体
１０１  把手部
１０２  第１装着部
１０３  第２装着部
１０４  底部
１０５  第１コネクタ部
１０７  第３コネクタ部
１０８  第２コネクタ部
１０９、４１３  バッテリ収容部
１１０  伝送処理部
１１１、２０５、３０７、４１１  電源制御部
１１２、４１０  予備電源部
１１３、４１２  充電部
２００  入力装置
２０１  入力コネクタ部
２０２、３０２、４０４  コネクタ部
２０３  計測処理部
２０４、３０６  記憶部
２０６、３０４、８０１  時計部
３００  表示装置
３０１  表示部
３０５  表示処理部
４００  ベースユニット
４０７  ネットワークインタフェース部
４０９  主電源部
７００  通信ネットワーク
８００  データ処理システム
【図１】
2014161683.tif 000003
【図２】
2014161683.tif 000004
【図３】
2014161683.tif 000005
【図４】
2014161683.tif 000006
【図５】
2014161683.tif 000007
【図６】
2014161683.tif 000008
【図７】
2014161683.tif 000009
【図８】
2014161683.tif 000010
【図９】
2014161683.tif 000011